(57)【要約】本発明は、自動車用バッテリーのためのハウジングであるハウジング（１）を取付け台（３）に固定する装置に関する。該装置は固定ブラケット（４）及び別個の固定要素（９）から成る。固定ブラケット（４）はハウジング（１）を越えて突出する取付け台（３）のエッジ上に固定されるかまたはモールドされ、ハウジング壁から少し離れてハウジング壁に平行に伸びる垂直リム（５）を含む。別個の固定要素（９）がハウジング壁と固定ブラケット（４）の垂直リム（５）との間の中間領域へ挿入される。本発明によれば、ハウジング（１）はいくつかの簡単な運動で工具を用いることなく取付け台（３）に固定され得る。固定装置のすべての部分を、ハウジング（１）が交換される必要がある場合に再使用することが可能である。スクラップや他の無駄な要素が蓄積されないので、リサイクル問題も解決する。
2005535070.tif 000002
【特許請求の範囲】
【請求項１】
自動車用バッテリーのためのハウジングであるハウジングを取付け台に固定する装置であって、前記装置が固定ブラケット（４）及び別個の固定要素（９）を含み、前記固定ブラケット（４）が前記ハウジング（１）を越えて突出している取付け台（３）のエッジと前記ハウジングから少し離れて伸びておりかつ前記ハウジングに平行である垂直リム（５）とに固定されるかまたはモールドされることを特徴とし、前記別個の固定要素（９）が前記ハウジングの壁と前記固定ブラケット（４）の前記垂直リム（５）との間の中間領域へ挿入されてそこに挟持されることを特徴とする装置。
【請求項２】
前記固定要素（９）の一端に対する接触面が前記ハウジング（１）の前記壁に設けられ、前記固定要素（９）の他端に対する係合手段が前記固定ブラケット（４）の前記垂直リム（５）に設けられることを特徴とする請求項１記載の装置。
【請求項３】
前記基部近くの前記ハウジング壁に、横方向に突出している段状部分（２）があって、前記段状部分（２）が前記固定要素（９）の前記一端に対して接触面を形成し、前記固定ブラケット（４）の前記垂直リム（５）の内側に、前記固定要素（９）の前記他端と係合する受け口（１１）があることを特徴とする請求項１記載の装置。
【請求項４】
前記固定要素（９）と係合する止め（１２）が前記受け口（１１）の中に形成されることを特徴とする請求項３記載の装置。
【請求項５】
前記固定要素（９）が上部（１４）及び下部（１５）から成り、前記上部（１４）及び前記下部（１５）はヒンジ（１６）によって相互接続されて、前記ヒンジが前記２つの部分（１４、１５）の間で折り畳み動作を可能にすることを特徴とする請求項１記載の装置。
【請求項６】
前記２つの部分（１４、１５）が本質的に長方形の外形を有し、前記ヒンジ（１６）において前記２つの部分（１４、１５）の対向する側面が、前記２つの部分（１４、１５）の間で折り畳み動作を可能にする角度を作ることを特徴とする請求項５記載の装置。
【請求項７】
前記固定ブラケット（４）の前記垂直リム（５）と係合する垂直リブ（２１）が前記上部（１４）の自由端において端面上に設けられることを特徴とする請求項５記載の装置。
【請求項８】
その端面に前記固定ブラケット（４）の前記垂直リム（５）と係合する垂直リブ（２１）が設けられた突出部（２０）が、前記上部（１４）の前記自由端上に形成されることを特徴とする請求項５記載の装置。
【請求項９】
前記上部（１４）に開口部（１９）があることを特徴とする請求項５記載の装置。
【請求項１０】
前記下部（１５）がヒンジ（１６）から外側へ前記下部（１５）の自由端まで高さを増し、前記自由端の端面が急傾斜して、前記端面上に支持面（２７）が形成されて前記ハウジング（１）の前記側壁と接触し得ることを特徴とする請求項５記載の装置。
【請求項１１】
前記ヒンジ（１６）から外側へ上りになっている前記部分（１５）の表面を、前記固定ブラケット（４）の前記垂直リム（５）の内側に形成された支持端（１３）と接触させ得ることを特徴とする請求項９記載の装置。
【請求項１２】
前記上部（１４）が薄壁の平坦な基部（１７）及び薄壁の側壁（１８）から成り、前記下部（１５）が前記ヒンジ（１６）から外側へ上りになっている薄壁の基部（２３）及び薄壁の側壁（２４）から成り、前記ヒンジによる接合（１６）が角度を作る前記部分（１４、１５）の短辺の対向する側壁の端部で成されることを特徴とする請求項５記載の装置。
【請求項１３】
前記下部（１５）上に、横方向に伸びる突出部（２８）があり、前記突出部（２８）の端面が前記部分（１５）の前記自由端上で前記支持面（２７）と整列することを特徴とする請求項５記載の装置。
【発明の詳細な説明】
【技術分野】
【０００１】
本発明は、ハウジング、駆動源付車両（以下単に自動車という）用バッテリーのためのハウジングを取付け台に固定する装置に関する。
【背景技術】
【０００２】
自動車用バッテリーのハウジングは、本質的に立方体の形状を有する。通常、当該ハウジングは取付け台の上に置かれ、ハウジングの一端が弾力的に曲げられて段状部分の後で側壁に係合される。同様に反対側の側壁にも段状部分があって、こちら側で取付け台がハウジングの基部を越えて突出する。ハウジングを取付け台に固定するために、Ｓ字形状に曲げられた板ばねの一端を、取り付けフランジとしてこの段状部分と接触させる。一方、他端を突出している取付け台上に置く。板ばねの平坦な中間部分及び取付け台の突出部分を貫通するねじが、止めナットで固定される。この種の取付けは複雑である。この種の取付けには一連の操作を要し、さらに、例えば、バッテリーが交換される場合、工具を用いるだけで、再び固定され緩められる。その結果、かなりの時間が必要になる。ヨーロッパのガイドラインに基づいてフランジ及びねじをリサイクルすることは別の問題を提起する。
【発明の開示】
【発明が解決しようとする課題】
【０００３】
本発明によって解決されるべき問題は、ハウジング、特に自動車用バッテリーのためのハウジングを取付け台に固定する装置であってハウジングをいくつかの簡単な操作で工具を用いずに取付け台に固定することができ、その結果、必要とあれば簡単な工具を用いて再び素早く緩めることを可能にする装置を提供することである。必要に応じて、ハウジングまたはバッテリーが繰り返し交換されるので、スクラップ部品が蓄積されるはずがない。
【課題を解決するための手段】
【０００４】
本発明によれば、この問題は、固定ブラケットおよび別個の固定要素を含む装置によって解決される。固定ブラケットは、ハウジングを越えて突出する取付け台のエッジ上とハウジング壁から少し離れて伸びハウジング壁に平行な垂直リム上とに固定されるかまたはモールドされる。別個の固定要素がハウジング壁と固定ブラケットの垂直リムとの間の中間領域へ挿入されて、そこに挟持される。このことは、最小限の力の消費で工具を用いずに素早く実施される。固定装置の全ての部品が、ハウジングが交換されるときに再使用されるので、スクラップまたは無駄な部品が生じない。
【０００５】
固定要素を挟持するために、固定要素の一端に対する接触面がハウジング壁上に設けられ、固定要素の他端に対する係合手段が固定ブラケットの垂直リム上に設けられることが望ましい。
【０００６】
固定要素の一端に対するハウジング壁上の接触面は、基部の近くで横方向に突出している段状部分によって形成されてもよい。固定要素の他端を係合するために、受け口が固定ブラケットの垂直リムの内側に設けられてもよい。係合をより確実にするために、止めが同様に受け口の中に形成されてもよい。
【０００７】
別個の固定要素は上部及び下部から成ることが望ましい。上部及び下部はヒンジで相互に接続されており、それによって２つの部分の間で折り畳み動作が可能になる。この２つの部分の折り畳み動作によって、ハウジング壁と固定ブラケットとの間で固定要素を挟持することが可能になる。
【０００８】
本発明の好適実施例によれば、２つの部分は本質的に長方形の外形を有し、ヒンジと反対側の２つの部分の側面が角度を作る。その角度によって２つの部分の間の折り畳み動作が可能になる。
【０００９】
固定ブラケットの垂直リム内の受け口と係合する垂直リブが、上部の自由端上で端面に設けられることが望ましい。このリブはまた上部に形成されるキャップの端面上に形成されてもよい。
【００１０】
上部には、例えば、ねじ回しなどの簡単な工具とかみ合わせることが可能な開口部があって、必要なときに再びハウジング壁と固定ブラケットとの間で固定要素の挟持が解放されることが有利である。
【００１１】
下部がヒンジから外側にその自由端の方へ高さを増していく場合に、所望の挟持効果が向上する。自由端の端面はそのとき急傾斜をつけられて、この端面上に支持面が形成される。支持面は、望ましくは段状部分によってそこに形成される接触面において、ハウジングの側壁と接触してもよい。ヒンジから外側に上りになっている部分の表面が、固定ブラケットの垂直リムの内側に形成された支持端に接触してもよい。下部は２点以上で支持され、一方、上部は固定ブラケットの垂直リム上で係合するようなされて、確実な締め付け効果を生じる。
【００１２】
本発明の実施例によれば、上部は薄壁の平坦な基部及び薄壁の側壁から成り、下部はヒンジから外側に上りになっている薄壁の基部及び薄壁の側壁から成る。ヒンジによる接続はそのとき対向する部分の短辺の側壁の両端でなされる。
【００１３】
横に伸びる突出部は下部に設けられてもよい。これらの突出部の端面は該部分の自由端上の支持面と整列して、下部の支持面全体を増す。
【００１４】
本発明は例として添付された図面を参照して以下により詳細に説明される。
【発明を実施するための形態】
【００１５】
図１は、自動車用バッテリーのハウジング１の一部を概略的に示す。ハウジング１は、公知の方法で段状部分２を有しており、段状部分２は、ハウジングの基部の向こう側へ横方向に、わずかに傾斜して形成されることが望ましい。ハウジングは取付け台３の上に置かれ、取付け台３はこちら側でハウジング１を越えて突出する。取付け台３のこちら側に、固定ブラケット４がある。固定ブラケット４は、取付け台３と一体化して形成されるかまたは何か他の方法で取付け台３に固定して接続されてもよい。固定ブラケット４からの延在部分は、図８乃至図１０にさらに別々に示されており、ハウジング１の側壁に平行で少し離れている長い垂直リム５となっている。補強材リブ６が垂直リム５の外側に設けられることが望ましい。まず第一に、より短い水平リム７がキャリヤに取付け台３を固定するために用いられ、少なくとも固定ブラケット４の内側で垂直リム５と直角を成す。ここで、水平の接触面８が別個の固定要素９に対して形成され、図１乃至図３を参照して以下でさらに説明されるように、ハウジング１の側壁と固定ブラケット４の垂直リム５の内面との間に挿入されて挟持されるべきである。固定ブラケット４の垂直リム５の側壁１０が、一方ではブラケット４を補強するために、他方では固定要素９を固定するために用いられる。垂直リム５の自由端上の受け口１１は、小さな止め１２を垂直リム５の先端に有しており、固定ブラケット４において固定要素９を挟持するために用いられる（以下を参照せよ）。さらに、垂直リム５の内側の固定ブラケット４の角をなす領域には、固定要素９に対する支持端１３を設ける段状部分がある。
【００１６】
図４乃至図７は、固定要素９の好適実施例を示す。固定要素９は２つの部分１４及び１５から成っており、２つの部分１４、１５は長方形の外形を描きヒンジ１６によって互いに接続されている。図示した実施例では、上部１４は相対的に薄壁の基部１７と補強壁１８とから成っており、それによって平たい箱の形状が与えられている。基部１７には、例えばねじ回しなどの簡単な工具を用いることが可能な細長いすきま状の開口部１９がある。上部１４の１つの自由な短辺には、台形の断面を有して基部１７上の外側に全体の幅に及ぶ突出部２０があり、部分１４の短辺の壁と整列するその表面には垂直リブ２１が設けられている。クリップ２２が突出部２０の表に形成されてもよい。下部１５とのヒンジによる接合１６は反対側の短辺のエッジで成される。向かい合っている２つの部分１４、１５の側壁は、互いにわずかに離れてヒンジ１６から外側へ傾けられる。このように、側壁が２つの部分１４、１５の間のヒンジによる動作が可能になる角度を形成する。
【００１７】
２つめの、下部１５も補強側壁２４を備えた薄壁の基部２３から成る。しかし、基部２３は上部１４に対向している短辺の壁から上りになっているので、下部１５は扁平な細長い片２５まで自由端の方へ高さが増し、そこから、外側に、急傾斜した自由短辺２６が形成され、垂直の支持面２７へと移行する。ブレード状の突出部２８が部分１５上で横方向に形成されてもよい。これらのブレードは部分１５を補強するために用いられ、支持面２７を増加させるためにも用いられる。
【００１８】
取付け台３上のハウジング１の固定が、以下の方法で図１乃至図３に従って行われる。
【００１９】
ハウジング１は取付け台３上に取り付けられて、例えば従来どおり取付け台３の片側側端の周囲弾性エッジの下でその片側側壁にわずかばかりその基部を越えて形成されるエッジ（図示されず）で押され、ここで早くも固定される。そのとき、固定ブラケット４の垂直リム５は、ハウジング１の対向する側壁と平行であり少し離れている。固定要素９は、ハウジング１の側壁と固定ブラケット４の垂直リム５との間の中間領域へと、その自由端の方へ高さが増している下部１５を用いて挿入される（図１を参照せよ）。その自由端上に形成されたその支持面２７のエッジと、それはハウジング１の側壁上に位置する段上部分２上で接触する。固定要素９の下部１５と上部１４との間のヒンジによる接合１６により、部分１４、１５の対向する側面の間の角度を囲む上部１４の折り畳み動作が、それが下部に対する角度で設定されるように行われてもよい。さらに、上部１４の自由端上のリブ２１が固定ブラケット４の受け口１１において止め１２と係合するようになされてもよい（図２を参照せよ）。ヒンジ１６の領域では、前の折り畳み動作に反対向きの力が固定要素９上ではたらく。その上部１４は固定ブラケット４の垂直リム５に再び平行にその基部１７を用いて設定される。その一部に対して、下部１５がヒンジ１６において折り畳み動作を行い、部分１４、１５の２つの対向する側壁の間に角度を開く。それによって、下部１５はハウジング１の側壁上の傾斜段状部分２上で完全に、自由端上に形成されたその支持面２７を用いて滑るように動く。さらに、垂直リム５の内側に段状部分によって形成される支持端１３上でその斜めの基部２３を用いて最終的に支持される。この折り畳み動作において、固定要素９がこの位置から自動的に跳ね返らないポイントに到る。これによって、ハウジング１を取付け台３にしっかりと保持する恒久的な締め付け効果が生じる。
【００２０】
実質的に、この処理をなんらの工具を用いることなく実施することが可能である。ホルダーからハウジング１を緩めるために、例えばねじ回しなどの簡単な工具が、部分１４の基部１７に設けられた開口部１９へ挿入され、固定要素９がその挟持された位置から解放されてもよい。
【図面の簡単な説明】
【００２１】
【図１】図２及び３と合わせて、ハウジング用の本発明による固定装置及び自動車用バッテリー例に対する固定処理を示す。
【図２】図１及び３と合わせて、ハウジング用の本発明による固定装置及び自動車用バッテリー例に対する固定処理を示す。
【図３】図１及び２と合わせて、ハウジング用の本発明による固定装置及び自動車用バッテリー例に対する固定処理を示す。
【図４】装置の固定要素の斜視図である。
【図５】図４による固定要素の平面図である。
【図６】図４による固定要素の側面図である。
【図７】図４による固定要素の正面図である。
【図８】図４による固定要素に対応する部分としての固定ブラケットの側面図である。
【図９】図８による固定ブラケットの内面図である。
【図１０】図８による固定ブラケットの平面図である。
【図１】
2005535070.tif 000003
【図２】
2005535070.tif 000004
【図３】
2005535070.tif 000005
【図４】
2005535070.tif 000006
【図５】
2005535070.tif 000007
【図６】
2005535070.tif 000008
【図７】
2005535070.tif 000009
【図８】
2005535070.tif 000010
【図９】
2005535070.tif 000011
【図１０】
2005535070.tif 000012
【国際調査報告】
2005535070.tif 000013
2005535070.tif 000014
2005535070.tif 000015
2005535070.tif 000016
2005535070.tif 000017
2005535070.tif 000018